(57)【要約】【課題】ウェアラブルデバイスを取り付ける場合には、差し込むという操作だけで、位置決めができて、確実に取り付けることができ、そのデバイスを取り外す場合にも、簡単な操作で確実に取り外すことができる保持具を提供する。【解決手段】ウェアラブルデバイス２１の本体部２２を保持枠体１１に差し込むと、この保持枠体１１に設けられた弾性押圧体１３の凸状係合部１２が前記本体部２２の上面２２ａ及び／又は下面２２ｂに係合され、前記弾性押圧体１３の操作部１３ａを上方向及び／又は下方向に操作することによって、前記本体部２２の上面２２ａ及び／又は下面（２２ｂ）と前記弾性押圧体１３の凸状係合部１２との係合が解除され、前記保持枠体１１からウェアラブルデバイス２１が引き抜かれるように構成されている。【選択図】図１７
2018189678.tif 000002
【特許請求の範囲】
【請求項１】
保持枠体（１１）にウェアラブルデバイス（２１）の本体部（２２）を着脱自在とし、前記保持枠体（１１）の上枠部（１１ａ）、下枠部（１１ｂ）の少なくとも一方に設けられた弾性押圧体（１３）の凸状係合部（１２）を、前記ウェアラブルデバイス（２１）の本体部（２２）の上面（２２ａ）、下面（２２ｂ）の少なくとも一方に係脱自在としており、前記ウェアラブルデバイス（２１）の本体部（２２）を保持枠体（１１）に差し込むと、前記弾性押圧体（１３）の凸状係合部（１２）が前記本体部（２２）の上面（２２ａ）及び／又は下面（２２ｂ）に係合され、前記弾性押圧体（１３）の操作部（１３ａ）を上方向及び／又は下方向に操作することによって、前記本体部（２２）の上面（２２ａ）及び／又は下面（２２ｂ）と前記弾性押圧体（１３）の凸状係合部（１２）との係合が解除され、前記保持枠体（１１）からウェアラブルデバイス（２１）が引き抜かれるように構成されていることを特徴とするウェアラブルデバイスの保持具。
【請求項２】
保持枠体（１１）にウェアラブルデバイス（２１）の本体部（２２）を着脱自在とし、前記本体部（２２）の上面（２２ａ）、下面（２２ｂ）の少なくとも一方に設けられた弾性押圧体（１３）の凸状係合部（１２）を、前記保持枠体（１１）の上枠部（１１ａ）、下枠部（１１ｂ）の少なくとも一方に係脱自在としており、前記ウェアラブルデバイス（２１）の本体部（２２）を保持枠体（１１）に差し込むと、前記弾性押圧体（１３）の凸状係合部（１２）が保持枠体（１１）の上枠部（１１ａ）及び／又は下枠部（１１ｂ）に係合され、前記弾性押圧体（１３）の操作部（１３ａ）を下方向及び／又は上方向に操作することによって、前記保持枠体（１１）の上枠部（１１ａ）及び／又は下枠部（１１ｂ）と前記弾性押圧体（１３）の凸状係合部（１２）との係合が解除され、前記保持枠体（１１）からウェアラブルデバイス（２１）が引き抜かれるように構成されていることを特徴とするウェアラブルデバイスの保持具。
【請求項３】
前記ウェアラブルデバイス（２１）の本体部（２２）の上面（２２ａ）、下面（２２ｂ）の少なくとも一方に凹状係合部（２３）が形成されたものとし、前記弾性押圧体（１３）の凸状係合部（１２）が前記本体部（２２）の上面（２２ａ）及び／又は下面（２２ｂ）の端部によって上方向及び／又は下方向に操作され、前記本体部（２２）の凹状係合部（２３）にこの弾性押圧体（１３）の凸状係合部（１２）が滑り込むようにして係合されるように構成されていることを特徴とする請求項１記載のウェアラブルデバイスの保持具。
【請求項４】
前記保持枠体（１１）の上枠部（１１ａ）、下枠部（１１ｂ）の少なくとも一方に凸状係合部（１４）が形成されたものとし、前記弾性押圧体（１３）の凸状係合部（１２）が保持枠体（１１）の凸状係合部（１４）を乗り越えて、この凸状係合部（１４）に係合されるように構成されていることを特徴とする請求項２記載のウェアラブルデバイスの保持具。
【請求項５】
前記保持枠体（１１）は、上枠部（１１ａ）、下枠部（１１ｂ）、前枠部（１１ｃ）、後枠部（１１ｄ）からなる四角枠体としていることを特徴とする請求項１〜４のいずれかに記載のウェアラブルデバイスの保持具。
【請求項６】
前記ウェアラブルデバイス（２１）の本体部（２２）の上面（２２ａ）の一部が、前記保持枠体（１１）の上枠部（１１ａ）の内面に接触するか、又は前記ウェアラブルデバイス（２１）の本体部（２２）の下面（２２ｂ）の一部が、前記保持枠体（１１）の下枠部（１１ｂ）の内面に接触した状態で、この保持枠体（１１）に前記ウェアラブルデバイス（２１）の本体部（２２）が差し込まれるように構成されていることを特徴とする請求項１〜５のいずれかに記載のウェアラブルデバイスの保持具。
【請求項７】
前記ウェアラブルデバイス（２１）の本体部（２２）の前面（２２ｃ）に凹面壁（２６）を形成したものとすると共に、本体部（２２）の後面（２２ｄ）に凸面壁（２７）を形成したものとし、前記凹面壁（２６）が前記保持枠体（１１）の前枠部（１１ｃ）の内面に接触すると共に、前記凸面壁（２７）が前記保持枠体（１１）の後枠部（１１ｄ）の内端部に接触した状態になるように構成されていることを特徴とする請求項６記載のウェアラブルデバイスの保持具。
【請求項８】
前記弾性押圧体（１３）の凸状係合部（１２）を、この弾性押圧体（１３）の中間部を幅方向に、略Ｖ字状に突出させたものとし、前記ウェアラブルデバイス（２１）の本体部（２２）の凹状係合部（２３）を、この本体部（２２）の上面（２２ａ）、下面（２２ｂ）の少なくとも一方の幅方向に略Ｖ字状に形成された溝部としていることを特徴とする請求項３記載のウェアラブルデバイスの保持具。
【請求項９】
前記弾性押圧体（１３）の凸状係合部（１２）を、この弾性押圧体（１３）の中間部を幅方向に、略Ｖ字状に突出させたものとし、前記保持枠体（１１）の凸状係合部（１４）を、この保持枠体（１１）の上枠部（１１ａ）、下枠部（１１ｂ）の内面の少なくとも一方の幅方向に略Ｖ字状に形成された突起としていることを特徴とする請求項４記載のウェアラブルデバイスの保持具。
【請求項１０】
請求項１〜９の何れかに記載の保持具の保持枠体（１１）を、レンズ体部（１）の一側端に備え、前記ウェアラブルデバイス（２１）の表示部（２４）を、レンズ（３）の内側に配置した眼鏡としていることを特徴とする顔面又は頭部装着具。
【請求項１１】
請求項１〜９の何れかに記載の保持具の保持枠体（１１）を、レンズ体部（１）の一側端に備え、前記ウェアラブルデバイス（２１）の表示部（２４）を、レンズ（３）の外側に配置した眼鏡としていることを特徴とする顔面又は頭部装着具。
【請求項１２】
請求項１〜９の何れかに記載の保持具の保持枠体（１１）を、倒立略Ｕ字状とした弾性を有する挟持体（８）の一側端に備え、前記ウェアラブルデバイス（２１）の表示部（２４）を、着用者が目視できる領域内に配置したヘッドバンドとしていることを特徴とする顔面又は頭部装着具
【請求項１３】
請求項１〜９の何れかに記載の保持具の保持枠体（１１）を、シェル（９）の片側の頬サイド部（９ａ）の内側又は外側に備え、前記ウェアラブルデバイス（２１）の表示部（２４）を、着用者が目視できる領域内に配置したヘルメットとしていることを特徴とする顔面又は頭部装着具
【発明の詳細な説明】
【技術分野】
【０００１】
この発明は、ヘッドマウントディスプレイなどのウェアラブルデバイスの保持具、及びこの保持具を備えた眼鏡、ゴーグル、ヘルメット、ヘッドバンドなどの顔面又は頭部装着具に関するものである。
【背景技術】
【０００２】
従来、この種の保持具を備えた顔面又は頭部装着具として、テンプル部に設けられたウェアラブルデバイスと係合する開口部と、ウェアラブルデバイスがテンプル部から脱落するのを規制する規制部を備えた眼鏡が存在する。そして、この眼鏡は、規制部を回動操作することにより、ウェアラブルデバイスがテンプル部から取り外し可能となるようにしている。（特許文献１）
このように構成された眼鏡は、種々のウェアラブルデバイスを着脱することができ、使用者の動きによってそれらウェアラブルデバイスが脱落することがなく、取り付けているウェアラブルデバイスを簡便に他のウェアラブルデバイスと取り換えることができ、そして、使用者がそれらウェアラブルデバイスを取り換えるときにおいて使用者が着用している状態でも取り換えることができるとしている。
【先行技術文献】
【特許文献】
【０００３】
【特許文献１】特開２０１６−２２４２３２号公報
【発明の概要】
【発明が解決しようとする課題】
【０００４】
しかしながら、特許文献１に示された眼鏡では、テンプル部に設けられた開口部にウェアラブルデバイスを係合させてから位置固定するには、そのデバイスを定位置に固定し、その後に別途ロック機構を動作する必要があり、ウェアラブルデバイスを容易に取り付けたり、取り外すことができず、取り扱いが面倒であるという問題点を有していた。
【０００５】
また、前記眼鏡では、ウェアラブルデバイスが眼鏡のレンズ部の外側に配置されているため、降雨時や降雪時の屋外での使用、飛来物が飛び交ったり、粉塵などが舞い散る工場内などの悪環境下での使用においては、そのデバイスの画像などを投影する表示部が、濡れたり、汚れたり、傷付いたりして、その表示部の画像などが見づらくなったり、さらには故障の原因になったりするという問題点を有していた。
【０００６】
そこで、この発明は、上記従来の問題点を解決するものであり、ウェアラブルデバイスを取り付ける場合には、別途ロック機構を動作することなく、差し込むという操作だけで、位置決めができて、確実に取り付けることができ、そのデバイスを取り外す場合にも、簡単な操作で確実に取り外すことができ、しかもウェアラブルデバイスの表示部を濡れにくくしたり、汚れにくくしたり、傷付きにくくしたウェアラブルデバイスの保持具、及びこの保持具を備えた顔面又は頭部装着具を提供することを目的としてなされたものである。
【課題を解決するための手段】
【０００７】
そのため、この発明のウェアラブルデバイスの保持具は、保持枠体１１にウェアラブルデバイス２１の本体部２２を着脱自在とし、前記保持枠体１１の上枠部１１ａ、下枠部１１ｂの少なくとも一方に設けられた弾性押圧体１３の凸状係合部１２を、前記ウェアラブルデバイス２１の本体部２２の上面２２ａ、下面２２ｂの少なくとも一方に係脱自在としており、前記ウェアラブルデバイス２１の本体部２２を保持枠体１１に差し込むと、前記弾性押圧体１３の凸状係合部１２が前記本体部２２の上面２２ａ及び／又は下面２２ｂに係合され、前記弾性押圧体１３の操作部１３ａを上方向及び／又は下方向に操作することによって、前記本体部２２の上面２２ａ及び／又は下面２２ｂと前記弾性押圧体１３の凸状係合部１２との係合が解除され、前記保持枠体１１からウェアラブルデバイス２１が引き抜かれるようにしている。
【０００８】
さらに、この発明のウェアラブルデバイスの保持具は、保持枠体１１にウェアラブルデバイス２１の本体部２２を着脱自在とし、前記本体部２２の上面２２ａ、下面２２ｂの少なくとも一方に設けられた弾性押圧体１３の凸状係合部１２を、前記保持枠体１１の上枠部１１ａ、下枠部１１ｂの少なくとも一方に係脱自在としており、前記ウェアラブルデバイス２１の本体部２２を保持枠体１１に差し込むと、前記弾性押圧体１３の凸状係合部１２が保持枠体１１の上枠部１１ａ及び／又は下枠部１１ｂに係合され、前記弾性押圧体１３の操作部１３ａを下方向及び／又は上方向に操作することによって、前記保持枠体１１の上枠部１１ａ及び／又は下枠部１１ｂと弾性押圧体１３の凸状係合部１２との係合が解除され、前記保持枠体１１からウェアラブルデバイス２１が引き抜かれるようにしている。
【０００９】
この発明のウェアラブルデバイスの保持具において、前記ウェアラブルデバイス２１の本体部２２の上面２２ａ、下面２２ｂの少なくとも一方に凹状係合部２３が形成されたものとし、前記弾性押圧体１３の凸状係合部１２が前記本体部２２の上面２２ａ及び／又は下面２２ｂの端部によって上方向及び／又は下方向に操作され、前記本体部２２の凹状係合部２３にこの弾性押圧体１３の凸状係合部１２が滑り込むようにして係合されるようにしている。
【００１０】
この発明のウェアラブルデバイスの保持具において、前記保持枠体１１の上枠部１１ａ、下枠部１１ｂの少なくとも一方に凸状係合部１４が形成されたものとし、前記弾性押圧体１３の凸状係合部１２が保持枠体１１の凸状係合部１４を乗り越えて、この凸状係合部１４に係合されるようしている。
【００１１】
この発明のウェアラブルデバイスの保持具において、前記保持枠体１１は、上枠部１１ａ、下枠部１１ｂ、前枠部１１ｃ、後枠部１１ｄからなる四角枠体としている。
【００１２】
この発明のウェアラブルデバイスの保持具において、前記ウェアラブルデバイス２１の本体部２２の上面２２ａの一部が、前記保持枠体１１の上枠部１１ａの内面に接触するか、又は前記ウェアラブルデバイス２１の本体部２２の下面２２ｂの一部が、前記保持枠体１１の下枠部１１ｂの内面に接触した状態で、この保持枠体１１に前記ウェアラブルデバイス２１の本体部２２が差し込まれるようにしている。
【００１３】
この発明のウェアラブルデバイスの保持具において、前記ウェアラブルデバイス２１の本体部２２の前面２２ｃに凹面壁２６を形成したものとすると共に、本体部２２の後面２２ｄに凸面壁２７を形成したものとし、前記凹面壁２６が前記保持枠体１１の前枠部１１ｃの内面に接触すると共に、前記凸面壁２７が前記保持枠体１１の後枠部１１ｄの内端部に接触した状態になるようにしている。
【００１４】
この発明のウェアラブルデバイスの保持具において、前記弾性押圧体１３の凸状係合部１２を、この弾性押圧体１３の中間部を幅方向に、略Ｖ字状に突出させたものとし、前記ウェアラブルデバイス２１の本体部２２の凹状係合部２３を、この本体部２２の上面２２ａ、下面２２ｂの少なくとも一方の幅方向に略Ｖ字状に形成された溝部としている。
【００１５】
この発明のウェアラブルデバイスの保持具において、前記弾性押圧体１３の凸状係合部１２を、この弾性押圧体１３の中間部を幅方向に、略Ｖ字状に突出させたものとし、前記保持枠体１１の凸状係合部１４を、この保持枠体１１の上枠部１１ａ、下枠部１１ｂの内面の少なくとも一方の幅方向に略Ｖ字状に形成された突起としている。
【００１６】
この発明の顔面又は頭部装着具は、前記保持具の保持枠体１１を、レンズ体部１の一側端に備え、前記ウェアラブルデバイス２１の表示部２４を、レンズ３の内側に配置した眼鏡としている。
【００１７】
この発明の顔面又は頭部装着具は、前記保持具の保持枠体１１を、レンズ体部１の一側端に備え、前記ウェアラブルデバイス２１の表示部２４を、レンズ３の外側に配置した眼鏡としている。
【００１８】
この発明の顔面又は頭部装着具は、前記保持具の保持枠体１１を、倒立略Ｕ字状とした弾性を有する挟持体８の一側端に備え、前記ウェアラブルデバイス２１の表示部２４を、着用者が目視できる領域内に配置したヘッドバンドとしている。
【００１９】
この発明の顔面又は頭部装着具は、前記保持具の保持枠体１１を、シェル９の片側の頬サイド部９ａの内側又は外側に備え、前記ウェアラブルデバイス２１の表示部２４を、着用者が目視できる領域内に配置したヘルメットとしている。
【発明の効果】
【００２０】
この発明は、以上に述べたように構成されているので、ウェアラブルデバイスを取り付ける場合には、差し込むという操作だけで、位置決めができて、確実に取り付けることができ、そのデバイスを取り外す場合にも、簡単な操作で確実に取り外すことができるので、非常に取り扱い易いものとなった。
【００２１】
さらに、この発明は、ウェアラブルデバイスの画像などを投影する表示部を、レンズ体部の内側に配置されるようにして、その表示部が濡れにくくしたり、汚れにくくしたり、傷付きにくくしたので、その表示部の画像などが見づらくなることがなく、さらには故障もしにくくなり、好ましい状態で長期間、使用できるものとなった。
【図面の簡単な説明】
【００２２】
【図１】この発明の保持具を、眼鏡とした顔面又は頭部装着具に具備させた第一実施形態を示す斜視図である。
【図２】図１に示した顔面又は頭部装着具の主要部の正面図である。
【図３】図２中のＡ−Ａ線による断面図である。
【図４】図１に示した顔面又は頭部装着具の主要部の平面図である。
【図５】図４中のＢ−Ｂ線による断面図である。
【図６】図１に示した顔面又は頭部装着具からウェアラブルデバイスを取り外した状態の斜視図である。
【図７】図６に示した状態での顔面又は頭部装着具の主要部の正面図である。
【図８】図７中のＣ−Ｃ線による断面図である。
【図９】この発明の保持具に着脱するウェアラブルデバイスの斜視図である。
【図１０】図９に示したウェアラブルデバイスの背面図である。
【図１１】この発明の保持具の保持枠体に固定する弾性押圧体の斜視図である。
【図１２】この発明の保持具を、眼鏡とした顔面又は頭部装着具に具備させた第二実施形態を示す斜視図である。
【図１３】図１２に示した顔面又は頭部装着具の主要部の正面図である。
【図１４】図１３中のＤ−Ｄ線による断面図である。
【図１５】図１２に示した顔面又は頭部装着具の主要部の平面図である。
【図１６】図１５中のＥ−Ｅ線による断面図である。
【図１７】図１２に示した顔面又は頭部装着具からウェアラブルデバイスを取り外した状態の斜視図である。
【図１８】図１７に示した状態での顔面又は頭部装着具の主要部の正面図である。
【図１９】図１８中のＦ−Ｆ線による断面図である。
【図２０】この発明の保持具を、眼鏡とした顔面又は頭部装着具に具備させた第三実施形態を示す斜視図である。
【図２１】図２０に示した顔面又は頭部装着具の正面図である。
【図２２】図２０に示した顔面又は頭部装着具の平面図である。
【図２３】この発明の保持具を、ヘッドバンドとした顔面又は頭部装着具に具備させた第四実施形態を示す斜視図である。
【図２４】図２３に示した顔面又は頭部装着具の正面図である。
【図２５】図２３に示した顔面又は頭部装着具の平面図である。
【図２６】この発明の保持具を、ヘルメットとした顔面又は頭部装着具に具備させた第五実施形態を示す斜視図である。
【図２７】図２６に示した顔面又は頭部装着具の正面図である。
【図２８】図２６に示した顔面又は頭部装着具の側面図である。
【図２９】この発明の保持具を、眼鏡とした顔面又は頭部装着具に具備させた第六実施形態を示す斜視図である。
【図３０】図２９に示した顔面又は頭部装着具の主要部の正面図である。
【図３１】図２９中のＧ−Ｇ線による断面図である。
【図３２】図２９に示した顔面又は頭部装着具の主要部の平面図である。
【図３３】図３２中のＨ−Ｈ線による断面図である。
【図３４】図２９に示した顔面又は頭部装着具からウェアラブルデバイスを取り外した状態の斜視図である。
【図３５】図３４に示した状態での顔面又は頭部装着具の主要部の正面図である。
【図３６】図３５中のＩ−Ｉ線による断面図である。
【図３７】この発明の保持具に着脱するウェアラブルデバイスの斜視図である。
【図３８】図３７に示したウェアラブルデバイスの背面図である。
【図３９】図３７に示したウェアラブルデバイスに固定する弾性押圧体の斜視図である。
【発明を実施するための形態】
【００２３】
以下、この発明のウェアラブルデバイスの保持具を、眼鏡とした顔面又は頭部装着具に具備させた場合の第一実施形態を図面に基づいて詳細に説明する。
【００２４】
なお、以下の説明文中における前後方向、左右方向、上下方向などは、使用者が顔面又は頭部装着具を着用した状態を基準としている。
【００２５】
図１〜８に示した眼鏡は、防塵用としており、レンズ体部１とテンプル部２とから構成されている。図示したレンズ体部１は、眼の前面に位置するレンズ３と、このレンズ３の全周から顔面に接するように延設された周壁４とからなり、合成樹脂による射出成形などによって一体成形されている。この周壁４は、上壁４ａ、下壁４ｂ、両側壁４ｃ、４ｃとから形成されている。テンプル部２は、レンズ体部１の周壁４の上壁４ａに添設したフレーム５の両端に、必要に応じて角度調節体ＡやヒンジＨを介在させて後方に向かってつる状に形成され、後端部には耳当部２ａが形成されている。なお、この発明の顔面又は頭部装着具を眼鏡とする場合には、テンプル部２に限定されることなく、このテンプル部２に代えてベルトとするなど、レンズ体部１を顔面に着用できるようにするものが設けられていればよい。また、前記レンズ体部１は、一眼レンズとしているが、二眼レンズとすることもできる。
【００２６】
この実施形態におけるウェアラブルデバイスの保持具は、前記レンズ体部１の一側端に備えられたものとしており、前記レンズ体部１の側壁４ｃを切り欠くか、取り除くか、又はこのような形状に成形されたレンズ体部１の、その部分に備えられている。すなわち、この保持具は、上枠部１１ａ、下枠部１１ｂ、前枠部１１ｃ、後枠部１１ｄを有した保持枠体１１とし、上枠部１１ａの端部をレンズ体部１の上壁４ａの端部に、下枠部１１ｂの端部をレンズ体部１の下壁４ｂの端部に、前枠部１１ｃの端部をレンズ体部１のレンズ３の端部に、それぞれ連結することにより、レンズ体部１の一側端に備えられている。そして、この保持具の保持枠体１１にウェアラブルデバイス２１の本体部２２を着脱自在とし、このウェアラブルデバイス２１の表示部２４を、前記レンズ３の内側に配置している。前記保持枠体１１は、図示したものでは、上枠部１１ａ、下枠部１１ｂ、前枠部１１ｃ、後枠部１１ｄからなる四角枠体としている。保持枠体１１を四角枠とした場合は、汎用性があり、後に述べる弾性押圧体１３が設け易くなると共に、その弾性押圧体１３の操作性も良くなるが、五角枠、六角枠、八角枠などの多角枠体としたり、長円枠体などとすることもできる。前記保持枠体１１を四角枠以外の枠体とした場合は、上枠部１１ａ、下枠部１１ｂ、前枠部１１ｃ、後枠部１１ｄとは、その枠体形状におけるそれぞれの上方領域部分、下方領域部分、前方領域部分、後方領域部分をいう。なお、前記上枠部１１ａ、下枠部１１ｂ、前枠部１１ｃ、後枠部１１ｄの用語の意味については、以下の実施形態においても同様である。
【００２７】
次に、この発明のウェアラブルデバイスの保持具を、眼鏡とした顔面又は頭部装着具に具備させた場合の第二実施形態を図面に基づいて詳細に説明する。
【００２８】
図１２〜１９に示した眼鏡は、防塵用としており、前記第一実施形態と同様にレンズ体部１とテンプル部２とから構成されており、そのレンズ体部１とテンプル部２の構成も、前記第一実施形態と同様であるので、ここではその詳細な説明を省略する。
【００２９】
この実施形態におけるウェアラブルデバイスの保持具は、前記レンズ体部１の一側端に備えられたものとしており、前記レンズ体部１の側壁４ｃを切り欠くか、取り除くか、又はこのような形状に成形されたレンズ体部１の、その部分に備えられている。すなわち、この保持具は、上枠部１１ａ、下枠部１１ｂ、前枠部１１ｃ、後枠部１１ｄを有した保持枠体１１とし、後枠部１１ｄの上端をレンズ体部１の上壁４ａの端部に、後枠部１１ｄの下端をレンズ体部１の下壁４ｂの端部に、後枠部１１ｄの前端をレンズ体部１のレンズ３の端部に、それぞれ連結することにより、レンズ体部１の一側端に備えられている。そして、この保持具の保持枠体１１にウェアラブルデバイス２１の本体部２２を着脱自在とし、このウェアラブルデバイス２１の表示部２４を、前記レンズ３の外側に配置している。
【００３０】
さらに、この発明のウェアラブルデバイスの保持具を、眼鏡とした顔面又は頭部装着具に具備させた場合の第三実施形態を図面に基づいて詳細に説明する。
【００３１】
図２０〜２２に示した眼鏡は、一般用としており、レンズ体部１とテンプル部２とから構成されている。図示したレンズ体部１は、眼の前面に位置するレンズ３と、このレンズ３を保持するフレーム５とからなる。テンプル部２は、フレーム５の両端にヨロイ部６を介して後方に向かってつる状に形成され、後端部には耳当部２ａが形成されている。なお、この発明の顔面又は頭部装着具を眼鏡とする場合には、テンプル部２に限定されることなく、ゴーグルのように、このテンプル部２に代えてベルトとするなど、レンズ体部１を顔面に着用できるようにするものが設けられていればよい。また、前記レンズ体部１は、二眼レンズとしているが、一眼レンズやフレームのみとすることもできる。
【００３２】
この実施形態におけるウェアラブルデバイスの保持具は、前記レンズ体部１の一側端に備えられたものとしており、支持アーム７を用いて前記フレーム５の一端、又はその一端のヨロイ部６に備えられている。すなわち、この保持具は、第一実施形態や第二実施形態に示した眼鏡と同様に、上枠部１１ａ、下枠部１１ｂ、前枠部１１ｃ、後枠部１１ｄからなる保持枠体１１とし、前アーム７ａと後アーム７ｂとを角度調節自在に軸支した支持アーム７の前アーム７ａの先端を、保持枠体１１の後枠部１１ｄに固着し、この支持アーム７の後アーム７ｂの後端をレンズ体部１のフレーム５の一端、又はその一端のヨロイ部６に回動自在に軸支することにより、レンズ体部１の一側端に備えられている。そして、この保持具の保持枠体１１にウェアラブルデバイス２１の本体部２２を着脱自在とし、このウェアラブルデバイス２１の表示部２４を、前記レンズ３の外側に配置している。
【００３３】
また、この発明のウェアラブルデバイスの保持具を、ヘッドバンドとした顔面又は頭部装着具に具備させた場合の第四実施形態を図面に基づいて詳細に説明する。
【００３４】
図２３〜２５に示したヘッドバンドは、縦方向着用型としており、倒立略Ｕ字状とした弾性を有する合成樹脂板などの挟持体８からなり、この挟持体８により頭上から側頭部の両耳のすぐ上までが挟まれるようにして、頭部に着用するようにしている。
【００３５】
この実施形態におけるウェアラブルデバイスの保持具は、前記挟持体８の一端部に備えられたものとしており、支持アーム７を用いてその挟持体８の一端部に備えられている。すなわち、この保持具は、第一実施形態や第二実施形態に示した眼鏡と同様に、上枠部１１ａ、下枠部１１ｂ、前枠部１１ｃ、後枠部１１ｄからなる保持枠体１１とし、前アーム７ａと後アーム７ｂとを角度調節自在に軸支した支持アーム７の前アーム７ａの先端を、保持枠体１１の後枠部１１ｄに固着し、この支持アーム７の後アーム７ｂの後端を挟持体８の一端に回動自在に軸支することにより、挟持体８の一端部に備えられている。そして、この保持具の保持枠体１１にウェアラブルデバイス２１の本体部２２を着脱自在とし、このウェアラブルデバイス２１の表示部２４を、ヘッドバンド着用者が目視できる領域内に配置している。
【００３６】
さらにまた、この発明のウェアラブルデバイスの保持具を、ヘルメットとした顔面又は頭部装着具に具備させた場合の第五実施形態を図面に基づいて詳細に説明する。
【００３７】
図２６〜２８に示したヘルメットは、ジェット型ヘルメットとしており、その外殻をなすシェル９に前面開口部と下面開口部を有し、シェル９の両側を頬サイド部９ａとしている。
【００３８】
この実施形態におけるウェアラブルデバイスの保持具は、前記シェル９の片側の頬サイド部９ａの内側に備えられている。すなわち、この保持具は、第一実施形態や第二実施形態に示した眼鏡と同様に、上枠部１１ａ、下枠部１１ｂ、前枠部１１ｃ、後枠部１１ｄからなる保持枠体１１とし、第三実施形態に示した眼鏡、第四実施形態に示したヘッドバンドと同様に、前アーム７ａと後アーム７ｂとを角度調節自在に軸支した支持アーム７の前アーム７ａの先端を、保持具の後枠部１１ｄに固着し、この支持アーム７の後アーム７ｂの後端を、シェル９の片側の頬サイド部９ａの内側に回動自在に軸支することにより、シェル９の片側の頬サイド部９ａの内側に備えられている。なお、この保持具は、同様の構造にしたものが、シェル９の片側の頬サイド部９ａの外側に備えられていてもよい。そして、この保持具の保持枠体１１にウェアラブルデバイス２１の本体部２２を着脱自在とし、このウェアラブルデバイス２１の表示部２４を、ヘルメット着用者が目視できる領域内に配置している。
【００３９】
次に、この発明のウェアラブルデバイスの保持具を、眼鏡とした顔面又は頭部装着具に具備させた場合の第六実施形態を図面に基づいて詳細に説明する。
【００４０】
図２９〜３６に示した眼鏡は、防塵用としており、レンズ体部１とテンプル部２とから構成されている。図示したレンズ体部１は、眼の前面に位置するレンズ３と、このレンズ３の全周から顔面に接するように延設された周壁４とからなり、合成樹脂による射出成形などによって一体成形されている。この周壁４は、上壁４ａ、下壁４ｂ、両側壁４ｃ、４ｃとから形成されている。テンプル部２は、レンズ体部１の周壁４の上壁４ａに添設したフレーム５の両端に、必要に応じて角度調節体ＡやヒンジＨを介在させて後方に向かってつる状に形成され、後端部には耳当部２ａが形成されている。なお、この発明の顔面又は頭部装着具を眼鏡とする場合には、テンプル部２に限定されることなく、ゴーグルのように、このテンプル部２に代えてベルトとするなど、レンズ体部１を顔面に着用できるようにするものが設けられていればよい。また、前記レンズ体部１は、一眼レンズとしているが、二眼レンズとすることもできる。
【００４１】
この実施形態におけるウェアラブルデバイスの保持具は、前記レンズ体部１の一側端に備えられたものとしており、前記レンズ体部１の側壁４ｃを切り欠くか、取り除くか、又はこのような形状に成形されたレンズ体部１の、その部分に備えられている。すなわち、この保持具は、上枠部１１ａ、下枠部１１ｂ、前枠部１１ｃ、後枠部１１ｄを有した保持枠体１１とし、上枠部１１ａの端部をレンズ体部１の上壁４ａの端部に、下枠部１１ｂの端部をレンズ体部１の下壁４ｂの端部に、前枠部１１ｃの端部をレンズ体部１のレンズ３の端部に、それぞれ連結することにより、レンズ体部１の一側端に備えられている。そして、この保持具の保持枠体１１にウェアラブルデバイス２１の本体部２２を着脱自在とし、このウェアラブルデバイス２１の表示部２４を、前記レンズ３の内側に配置している。
【００４２】
なお、この実施形態におけるウェアラブルデバイスの保持具は、図示していないが、第二実施形態と同様の眼鏡のレンズ体部１の一側端に備えられ、ウェアラブルデバイス２１の表示部２４を、前記レンズ３の外側に配置することもできる。
【００４３】
さらに、この実施形態におけるウェアラブルデバイスの保持具は、図示していないが、第三実施形態と同様の眼鏡のレンズ体部１の一側端に備えられ、ウェアラブルデバイス２１の表示部２４を、前記レンズ３の外側に配置することもできる。
【００４４】
また、この実施形態におけるウェアラブルデバイスの保持具は、図示していないが、第四実施形態と同様のヘッドバンドの挟持体８の一端部に備えられ、ウェアラブルデバイス２１の表示部２４を、ヘッドバンド着用者が目視できる領域内に配置したり、第五実施形態と同様のヘルメットのシェル９の片側の頬サイド部９ａの内側又は外側に備えられ、ウェアラブルデバイス２１の表示部２４を、ヘルメット着用者が目視できる領域内に配置することもできる。
【００４５】
そして、この発明のウェアラブルデバイスの保持具において、第一〜五実施形態に示したものは、保持枠体１１の上枠部１１ａ、下枠部１１ｂ、前枠部１１ｃ、後枠部１１ｄは、それぞれ略板状に形成されており、上枠部１１ａ、下枠部１１ｂの少なくとも一方には、凸状係合部１２が形成された平板状の弾性押圧体１３が、これら上枠部１１ａ、下枠部１１ｂから保持枠体１１の内方に向かって設けられている。図示したものは、保持枠体１１の上枠部１１ａに、前記弾性押圧体１３が設けられている。さらに、ウェアラブルデバイス２１の本体部２２の上面２２ａ、下面２２ｂの少なくとも一方には、前記凸状係合部１２に係脱自在とした凹状係合部２３が形成されている。図示したものは、本体部２２の上面２２ａに凹状係合部２３が形成されている。
【００４６】
前記弾性押圧体１３は、図１１に示したように、弾性を有する短尺の平板状とした金属板や合成樹脂板などとしており、基端部の上方に突出させた止ピン１５によって保持枠体１１の上枠部１１ａに固定しており、先端を操作部１３ａとし、中間部の幅方向に、略Ｖ字状に下方向へ折曲させた前記凸状係合部１２を形成している。さらに、前記弾性押圧体１３は、図示していないが、前記保持枠体１１の下枠部１１ｂにも固定したり、又は前記保持枠体１１の下枠部１１ｂにのみ固定する場合には、前記止ピン１５を基端部の下方に突出させたものとし、凸状係合部１２を中間部の幅方向に、略Ｖ字状に上方向へ折曲したものとしている。なお、前記弾性押圧体１３の固定は、止ピン１５に限らず、ネジ止めや接着してもよく、又は合成樹脂の場合には一体成形するなどしてもよい。また、前記凸状係合部１２は、一例を示したに過ぎず、図示したような略Ｖ字状に下方向又は上方向へ折曲したものに限定されることはない。
【００４７】
前記ウェアラブルデバイス２１は、図示したものでは、情報処理のための電子回路などが内蔵された本体部２２から、文字や画像などの視覚情報が表示される液晶板などとした表示部２４を突設したものとしている。なお、本体部２２には、必要に応じ前記視覚情報を制御するためのコントローラ（図示せず）がケーブルＣを介して接続されている。また、コントローラには、リチウム充電池のような電源が内蔵されているが、このような電源は、コントローラではなく本体部２２に内蔵したものとしてもよい。
【００４８】
さらに、前記ウェアラブルデバイス２１の凹状係合部２３は、図示したように、本体部２２の上面２２ａの幅方向に略Ｖ字状に形成された溝部とし、この凹状係合部２３に、前記弾性押圧体１３の凸状係合部１２が、この弾性押圧体１３の一端の操作部１３ａを指で上方向に操作することによって（なお、弾性押圧体１３を保持枠体１１の下枠部１１ｂに設けた場合は下方向に操作する）、係合が解除できるように構成されている。しかも、前記ウェアラブルデバイス２１の凹状係合部２３は、本体部２２の上面２２ａの長さ方向に形成されたガイド溝２５内に形成されており、前記保持枠体１１にウェアラブルデバイス２１の本体部２２を差し込んだときに、このガイド溝２５に沿って弾性押圧体１３が案内され、ウェアラブルデバイス２１の凹状係合部２３に弾性押圧体１３の凸状係合部１２が係合され易くなるようにしている。前記ウェアラブルデバイス２１の凹状係合部２３は、図示していないが、前記弾性押圧体１３を保持枠体１１の下枠部１１ｂに設けた場合には、本体部２２の下面２２ｂの幅方向に略Ｖ字状に形成した溝部としたものとしている。なお、前記凹状係合部２３は、一例を示したに過ぎず、図示したような略Ｖ字状に形成された溝部に限定されるものではない。
【００４９】
また、この発明のウェアラブルデバイスの保持具において、第六実施形態に示したものは、保持枠体１１の上枠部１１ａ、下枠部１１ｂ、前枠部１１ｃ、後枠部１１ｄは、それぞれ略板状に形成されており、上枠部１１ａ、下枠部１１ｂの少なくとも一方には、凸状係合部１４が形成されている。図示したものは、保持枠体１１の上枠部１１ａに、前記凸状係合部１４が形成されている。さらに、ウェアラブルデバイス２１の本体部２２の上面２２ａ、下面２２ｂの少なくとも一方には、前記凸状係合部１４に係脱自在とした凸状係合部１２が形成された平板状の弾性押圧体１３が、これら上面２２ａ、下面２２ｂからウェアラブルデバイス２１の表示部２４の方向に向かって設けられている。図示したものは、本体部２２の上面２２ａに弾性押圧体１３が設けられている。
【００５０】
前記弾性押圧体１３は、図３９に示したように、弾性を有する短尺の平板状とした金属板や合成樹脂板などとしており、基端部の下方に突出させた止ピン１５によってウェアラブルデバイス２１の本体部２２の上面２２ａに固定しており、先端を操作部１３ａとし、中間部の幅方向に、略Ｖ字状に上方向へ折曲させた前記凸状係合部１２を形成している。さらに、前記弾性押圧体１３は、図示していないが、前記本体部２２の下面２２ｂにも固定したり、又は前記本体部２２の下面２２にのみ固定する場合には、前記止ピン１５を基端部の上方に突出させたものとし、凸状係合部１２を中間部の幅方向に、略Ｖ字状に下方向へ折曲させものとしている。なお、前記弾性押圧体１３の固定は、止ピン１５に限らず、ネジ止めや接着してもよく、又は合成樹脂の場合には一体成形するなどしてもよい。また、前記凸状係合部１２は、一例を示したに過ぎず、図示したような略Ｖ字状に上方向又は下方向へ折曲したものに限定されることはない。
【００５１】
前記保持枠体１１の凸状係合部１４は、図示したように、保持枠体１１の上枠部１１ａ内面の幅方向に略Ｖ字状に形成された突起とし、この凸状係合部１４に、前記弾性押圧体１３の凸状係合部１２が、この弾性押圧体１３の一端の操作部１３ａを指で下方向に操作することによって（なお、弾性押圧体１３をウェアラブルデバイス２１の本体部２２の下面２２ｂに設けた場合は上方向に操作する）、係合が解除できるように構成されている。しかも、前記保持枠体１１の凸状係合部１４は、上枠部１１ａ内面の長さ方向に形成されたガイド溝１６内に形成されており、前記保持枠体１１にウェアラブルデバイス２１の本体部２２を差し込んだときに、このガイド溝１６に沿って弾性押圧体１３が案内され、保持枠体１１の凸状係合部１４を弾性押圧体１３の凸状係合部１２が乗り越えて、この凸状係合部１４に凸状係合部１２が係合され易くなるようにしている。前記保持枠体１１の凸状係合部１４は、図示していないが、前記弾性押圧体１３をウェアラブルデバイス２１の本体部２２の下面２２ｂに設けた場合には、保持枠体１１の下枠部１１ｂ内面の幅方向に略Ｖ字状に形成された突起としたものとしている。なお、前記凸状係合部１４は、一例を示したに過ぎず、図示したような略Ｖ字状に形成された突起に限定されるものではない。
【００５２】
さらに、この発明の保持具では、ウェアラブルデバイス２１の本体部２２の上面２２ａの前端部などの一部が、保持枠体１１の上枠部１１ａの内面に接触するか、又はウェアラブルデバイス２１の本体部２２の下面２２ｂの前端部などの一部が、保持枠体１１の下枠部１１ｂの内面に接触した状態で、前記保持枠体１１に前記ウェアラブルデバイス２１の本体部２２が差し込まれるようにしている。このようにすることにより、ウェアラブルデバイス２１の本体部２２は、保持枠体１１への差し込み状態が安定する。
【００５３】
また、この発明の保持具において、ウェアラブルデバイス２１の本体部２２の保持枠体１１への差し込み状態をより安定させるには、図９、１０及び図３７、３８に示したように、本体部２２の前面２２ｃに凹面壁２６を形成したものとすると共に、本体部２２の後面２２ｄに凸面壁２７を形成したものとして、前記凹面壁２６が、前記保持枠体１１の前枠部１１ｃの内面に接触すると共に、前記凸面壁２７が、前記保持枠体１１の後枠部１１ｄの内端部に接触した状態になるようにすればよい。
【００５４】
以上のように構成されたこの発明の保持具を備えた顔面又は頭部装着具は、第一実施形態や第六実施形態に示したような眼鏡とした場合には、ウェアラブルデバイス２１の本体部２２を保持具の保持枠体１１に差し込んだ状態では、このウェアラブルデバイス２１の表示部２４が、眼鏡のレンズ３の内側に配置されることになり、第二実施形態や第三実施形態に示したような眼鏡とした場合には、ウェアラブルデバイス２１の本体部２２を保持具の保持枠体１１に差し込んだ状態では、このウェアラブルデバイス２１の表示部２４が、眼鏡のレンズ３の外側に配置されることになる。さらに、第四実施形態に示したようなヘッドバンド、第五実施形態に示したようなヘルメットとした場合には、ウェアラブルデバイス２１の本体部２２を保持具の保持枠体１１に差し込んだ状態では、このウェアラブルデバイス２１の表示部２４が、それぞれ着用者が目視できる領域内に配置されることになる。
【００５５】
したがって、この発明の保持具を備えた顔面又は頭部装着具において、第一実施形態や第六実施形態に示したような眼鏡とした場合には、降雨時や降雪時の屋外での使用、飛来物が飛び交ったり、粉塵などが舞い散る工場内などの悪環境下での使用においては、ウェアラブルデバイス２１の表示部２４が、濡れたり、汚れたり、傷付いたりして、その表示部２４の視覚情報が見づらくなったり、故障の原因となったりするということはない。
【００５６】
さらに、この発明の保持具において、ウェアラブルデバイス２１を取り外すときには、第一実施形態に示したような眼鏡とした場合には、その眼鏡をかけたまま顔面から少し引き離すか、取り外した状態で、また第二実施形態に示したような眼鏡、第三実施形態に示したような眼鏡、第四実施形態に示したようなヘッドバンド、第五実施形態に示したようなヘルメットとした場合には、そのままの状態で、保持枠体１１の内方から弾性押圧体１３の操作部１３ａを指で上方向に操作して、この弾性押圧体１３を上方に反らす（なお、図示していないが、弾性押圧体１３を保持枠体１１の下枠部１１ｂに設けた場合は下方向に操作して、この弾性押圧体１３を下方に反らす）。
【００５７】
すると、前記弾性押圧体１３の凸状係合部１２が持ち上げられ、この凸状係合部１２とウェアラブルデバイス２１の本体部２２の凹状係合部２３との係合が解除される。この状態で、ウェアラブルデバイス２１の本体部２２が引き抜かれると、保持具の保持枠体１１からウェアラブルデバイス２１が取り外された状態となる。
【００５８】
また、この発明の保持具において、ウェアラブルデバイス２１を取り外すときには、第六実施形態に示したような眼鏡とした場合には、その眼鏡をかけたまま顔面から少し引き離すか、取り外した状態で、保持枠体１１の内方から弾性押圧体１３の操作部１３ａを指で下方向に操作して、この弾性押圧体１３を下方に反らす（なお、図示していないが、弾性押圧体１３をウェアラブルデバイス２１の本体部２２の下面２２ｂに設けた場合は上方向に操作して、この弾性押圧体１３を上方に反らす）。
【００５９】
すると、前記弾性押圧体１３の凸状係合部１２が押し下げられ、この凸状係合部１２と保持枠体１１の上枠部１１ａの凸状係合部１４との係合が解除される。この状態で、ウェアラブルデバイス２１の本体部２２が引き抜かれると、保持具の保持枠体１１からウェアラブルデバイス２１が取り外された状態となる。
【００６０】
さらに、この発明の保持具において、第一〜五実施形態に示した実施形態では、ウェアラブルデバイス２１を取り付けるときには、ウェアラブルデバイス２１の本体部２２の後部を指で摘まんで、保持具の保持枠体１１からウェアラブルデバイス２１の表示部２４を差し込み、眼鏡のレンズ３の内側や外側、着用者が目視できる領域内に配置すると共に、この保持枠体１１に本体部２２の前部を差し込む。
【００６１】
すると、前記ウェアラブルデバイス２１の本体部２２のガイド溝２５に沿って弾性押圧体１３が案内されると共に、弾性押圧体１３の凸状係合部１２が本体部２２の上面２２ａの端部によって上方向に操作され（なお、図示していないが、弾性押圧体１３を保持枠体１１の下枠部１１ｂに設けた場合は下方向に操作され）、ウェアラブルデバイス２１の凹状係合部２３にこの弾性押圧体１３の凸状係合部１２が滑り込むように係合され、ウェアラブルデバイス２１が保持具の保持枠体１１に取り付けられた状態となる。
【００６２】
また、この発明の保持具において、第六実施形態に示した実施形態でも、ウェアラブルデバイス２１を取り付けるときには、ウェアラブルデバイス２１の本体部２２の後部を指で摘まんで、保持具の保持枠体１１からウェアラブルデバイス２１の表示部２４を差し込み、眼鏡のレンズ３の内側に配置すると共に、この保持枠体１１に本体部２２の前部を差し込む。
【００６３】
すると、前記保持枠体１１の上枠部１１ａ内面のガイド溝１６に沿って弾性押圧体１３が案内されると共に、弾性押圧体１３の凸状係合部１２が保持枠体１１の凸状係合部１４に押し下げられ（なお、図示していないが、弾性押圧体１３をウェアラブルデバイス２１の本体部２２の下面２２ｂに設けた場合は押し上げられ）、この凸状係合部１４を乗り越えて、この凸状係合部１４に係合され、ウェアラブルデバイス２１が保持具の保持枠体１１に取り付けられた状態となる。
【００６４】
したがって、この発明の保持具を備えた顔面又は頭部装着具では、ウェアラブルデバイス２１を取り付ける場合には、差し込むという操作だけで、位置決めができて、確実に取り付けることができ、そのデバイスを取り外す場合にも、弾性押圧体１３を上方向や下方向に操作するという簡単な操作で確実に取り外すことができる
【符号の説明】
【００６５】
１  レンズ体部
３  レンズ
８  挟持体
９  シェル
９ａ  頬サイド部
１１  保持枠体
１１ａ  上枠部
１１ｂ  下枠部
１１ｃ  前枠部
１１ｄ  後枠部
１２  凸状係合部
１３  弾性押圧体
１３ａ  操作部
１４  凸状係合部
２１  ウェアラブルデバイス
２２  本体部
２２ａ  上面
２２ｂ  下面
２３  凹状係合部
２４  表示部
２６  凹面壁
２７  凸面壁
【図１】
2018189678.tif 000003
【図２】
2018189678.tif 000004
【図３】
2018189678.tif 000005
【図４】
2018189678.tif 000006
【図５】
2018189678.tif 000007
【図６】
2018189678.tif 000008
【図７】
2018189678.tif 000009
【図８】
2018189678.tif 000010
【図９】
2018189678.tif 000011
【図１０】
2018189678.tif 000012
【図１１】
2018189678.tif 000013
【図１２】
2018189678.tif 000014
【図１３】
2018189678.tif 000015
【図１４】
2018189678.tif 000016
【図１５】
2018189678.tif 000017
【図１６】
2018189678.tif 000018
【図１７】
2018189678.tif 000019
【図１８】
2018189678.tif 000020
【図１９】
2018189678.tif 000021
【図２０】
2018189678.tif 000022
【図２１】
2018189678.tif 000023
【図２２】
2018189678.tif 000024
【図２３】
2018189678.tif 000025
【図２４】
2018189678.tif 000026
【図２５】
2018189678.tif 000027
【図２６】
2018189678.tif 000028
【図２７】
2018189678.tif 000029
【図２８】
2018189678.tif 000030
【図２９】
2018189678.tif 000031
【図３０】
2018189678.tif 000032
【図３１】
2018189678.tif 000033
【図３２】
2018189678.tif 000034
【図３３】
2018189678.tif 000035
【図３４】
2018189678.tif 000036
【図３５】
2018189678.tif 000037
【図３６】
2018189678.tif 000038
【図３７】
2018189678.tif 000039
【図３８】
2018189678.tif 000040
【図３９】
2018189678.tif 000041